(57)【要約】  【課題】  スラット幅に依存することなく、スラット幅が異なるブラインドに対しても共通して使用することができるスラット角度調節装置を提供する。  【解決手段】  スラットの傾斜角度を可変にするブラインドのスラット角度調節装置が、回転軸２２の回転量を規制する規制手段２８を有し、該規制手段２８は、回転軸２２と一体的に回転して径方向に突出する突部４２と、該突部４２が周方向に回転することを許容する空間部４４と、該空間部４４内で周方向に移動可能となった移動体４６と、移動体４６の空間部４４内での移動範囲を規制するストッパー部材４８とを有し、ストッパー部材４８は、空間部４４内で移動体４６と干渉可能に突出すると共にその空間部４４内のその位置を調整可能となっている。【選択図】  図３
2005068701.tif 000002
【特許請求の範囲】
【請求項１】
ヘッドボックス（１２）内に配置され、多数のスラット（１６）を整列状態に支持するラダーコード（１４）の一端が連結される回転軸（２２）を回転駆動し、その回転軸（２２）の回転によりスラット（１６）の傾斜角度を可変にするブラインドのスラット角度調節装置において、
回転軸（２２）の回転量を規制する規制手段（２８、５８）を有し、
該規制手段（２８、５８）は、回転軸（２２）と一体的に回転して径方向に突出する突部（４２、６２）と、該突部（４２、６２）が周方向に回転することを許容する空間部（４４、６４）と、空間部（４４、６４）内での突部（４２、６２）の移動範囲を決めるストッパー部材（４８）とを有し、ストッパー部材（４８）は、空間部（４４、６４）内でのその位置を調整可能であることを特徴とするブラインドのスラット角度調節装置。
【請求項２】
前記規制手段（２８、５８）は、前記空間部（４４、６４）内で周方向に移動可能となった移動体（４６）をさらに有し、移動体（４６）は前記突部（４２、６２）と干渉して一緒に移動可能であると共にストッパー部材（４８）と干渉して空間部（４４、６４）内の移動範囲を規制されることを特徴とする請求項１記載のブラインドのスラット角度調節装置。
【請求項３】
前記空間部（４４、６４）の側面部を画成する側面部（３６ｂ、５６ｂ）に所定間隔をもって複数の孔部（３６ａ、５６ａ）が形成されており、前記ストッパー部材（４８）は、前記孔部（３６ａ、５６ａ）に着脱可能に嵌合され、ストッパー部材（４８）が嵌合する孔部（３６ａ、５６ａ）を変更することによって、ストッパー部材（４８）の位置が調整可能であることを特徴とする請求項１または２記載のブラインドのスラット角度調節装置。
【請求項４】
前記孔部（３６ａ、５６ａ）は前記側面部（３６ｂ、５６ｂ）を貫通して、側面部（３６ｂ、５６ｂ）を挟んで前記空間部（４４、６４）と反対側にある外部まで伸びており、前記ストッパー部材（４８）は外部から孔部（３６ａ、５６ａ）内へと挿入されて、空間部（４４、６４）内に突出可能であることを特徴とする請求項３記載のブラインドのスラット角度調節装置。
【発明の詳細な説明】
【技術分野】
【０００１】
本発明は、ブラインドのスラットの傾斜角度を調節するブラインドのスラット角度調節装置に関し、特に、スラットの回転角度を制限することができるブラインドのスラット角度調節装置に関する。
【背景技術】
【０００２】
従来、この種のブラインドのスラット角度調節装置としては、例えば、実用新案登録番号第２５６０４６４号公報に記載のものが知られている。このスラット角度調節装置は、ヘッドボックス内に設けられたストッパ機構を有しており、該ストッパ機構は、回転軸に設けられた径方向の突起と、突起の一周以上の回転を許す径方向に形成された円形中空部と、円形中空部の一定周長の範囲で径方向外側に段付きに径寸法を拡張して形成されたボール収容部と、円形中空部からボール収容部にまたがって収容され、ボール収容部の一定周長の範囲内で周方向に自由に移動することができると共に、突起の正逆回転方向に押されてボール収容部内を移動するように設けられたコロまたはボールと、により構成される。そして、回転軸を一方向に回転させると、突起が回転してボールが突起に押されて、ボールがボール収納部の一方の段部に至ると、それ以上の移動は規制されるので、回転軸はそれ以上回転できなくなり、次に、回転軸を他方向に回転させると突起が一周以上回転した後、ボールがボール収納部の他方の段部に至りそれ以上の回転が規制されるので、回転軸はそれ以上回転できなくなる。こうして、スラットの回転角度を制限することができる。
【０００３】
ところで、ブラインドでは、スラット幅が異なると、スラットの同じ回転角度に対して、回転させるべきヘッドボックス内の回転軸の回転角度は異なる。そのため、従来のスラット角度調節装置では、スラット幅に応じて、突起の数または形状を変更するか、ボール収納部の段部の位置を変更する必要が生じ、部品を共有化することができないという問題がある。
【０００４】
【特許文献１】実用新案登録番号第２５６０４６４号公報
【発明の開示】
【発明が解決しようとする課題】
【０００５】
本発明が解決しようとする課題は、スラット幅に依存することなく、スラット幅が異なるブラインドに対しても共通して使用することができるスラット角度調節装置を提供することである。
【課題を解決するための手段】
【０００６】
前述した課題を解決するために、請求項１記載の発明は、ヘッドボックス内に配置され、多数のスラットを整列状態に支持するラダーコードの一端が連結される回転軸を回転駆動し、その回転軸の回転によりスラットの傾斜角度を可変にするブラインドのスラット角度調節装置において、
回転軸の回転量を規制する規制手段を有し、
該規制手段は、回転軸と一体的に回転して径方向に突出する突部と、該突部がその中で周方向に回転することを許容する空間部と、空間部内での突部の移動範囲を決めるストッパー部材とを有し、ストッパー部材は、空間部内での位置を調整可能であることを特徴とする。
【０００７】
ストッパー部材は、突部に対して直接干渉して回転を規制する構成としてもよいが、請求項２記載の発明は、請求項１記載の前記規制手段が、前記空間部内で周方向に移動可能となった移動体をさらに有し、移動体は前記突部と干渉して一緒に移動可能であると共にストッパー部材と干渉して空間部内の移動範囲を規制されることを特徴とする。
【０００８】
請求項３記載の発明は、請求項１または２記載のものにおいて、前記空間部の側面部を画成する側面部に所定間隔をもって複数の孔部が形成されており、前記ストッパー部材は、前記孔部に着脱可能に嵌合され、ストッパー部材が嵌合する孔部を変更することによって、ストッパー部材の位置が調整可能であることを特徴とする。
【０００９】
請求項４記載の発明は、請求項３記載のものにおいて、前記孔部は前記側面部を貫通して、側面部を挟んで前記空間部と反対側にある外部まで伸びており、前記ストッパー部材は外部から孔部内へと挿入されて、空間部内に突出可能であることを特徴とする。
【発明の効果】
【００１０】
請求項１記載の発明によれば、ストッパー部材の位置を調整することで、空間部内で突部が移動できる範囲を変えることができる。これにより、回転軸が回転できる範囲が変わり、スラットを支持するラダーコードの一端が回転軸によって駆動される量を変えて、スラットの回転角度範囲を変えることができる。
【００１１】
スラット幅が異なると、スラットを同じ角度だけ回転させる場合でも、ラダーコードに必要な駆動量が変わり回転軸の回転角度が変わるが、ストッパー部材の位置を調整することで、対応することができる。こうして、スラット幅に依存することなく、スラット幅が異なるブラインドに対して共通に使用することができる。また、ユーザの所望するスラットの回転角度に対応して、ストッパー部材の位置を調整することもでき、ブラインド毎に異なるスラットの回転角度範囲とすることもできる。
【００１２】
請求項２記載の発明によれば、移動体を用いて突部が空間部内を３６０度以上回転することができるようにした規制手段においても、スラットを支持するラダーコードの一端が回転軸によって駆動される量を変えることができる。
【００１３】
請求項３記載の発明によれば、ストッパー部材を嵌合させるべき孔部を適宜選択することにより、簡単にストッパー部材の位置調整をすることができるようになる。
【００１４】
請求項４記載の発明によれば、外部からストッパー部材を孔部へ挿入することができるために、外部からストッパー部材の位置を変更することができ、スラット角度調節装置をブラインドから取り外すことなく、ストッパー部材の位置調整が可能になる。
【発明を実施するための最良の形態】
【００１５】
以下、図面を用いて本発明の実施の形態を説明する。尚、以下の実施形態は本発明を限定するものではない。
【００１６】
図１は、本発明の実施形態にかかるブラインドの平面図である。図において、ブラインドは、ヘッドボックス１２を有しており、ヘッドボックス１２からはラダーコード１４が垂下されており、ラダーコード１４によって多数のスラット１６が整列状態に支持される。
【００１７】
即ち、ヘッドボックス１２から垂下される各ラダーコード１４は、上下方向に伸びる前後の垂直コードと、上下方向に離間して複数設けられて、前後の垂直コードを連結する中段コードとから構成され、中段コードにスラット１６が載置される。ラダーコード１４の一端となる垂直コードの上端は、ヘッドボックス１２内に配置される回転軸２２に連結され、その他端となる下端は、スラット１６の下方に設けられるボトムレール１８に連結される。
【００１８】
前記回転軸２２は、ヘッドボックス１２内において、回転可能に軸支されており、回転軸２２にはラダーコード１４に対応してドラム２４が設けられて、該ドラム２４に、ラダーコード１４の一対の垂直コードの上端が巻き取り・巻き解き可能に固着される。回転軸２２を回転させることによりドラム２４を回転させて、ラダーコード１４を傾動させて、スラット１６を回転させる。
【００１９】
このようにスラット１６の回転角度を調節するスラット角度調節装置２０は、前記ドラム２４が設けられた回転軸２２と、回転軸２２を回転させるための回転駆動機構２６と、回転軸２２の回転角度を規制する規制機構２８と、から構成される。
【００２０】
回転駆動機構２６は、回転軸２２の一端部に設けられ、図２の例では、主として、操作棒３０と、操作棒３０に連結されるウォーム軸３２と、スリーブ３４と、から構成される。ウォーム軸３２の上部及びスリーブ３４は、ケーシング３６（３６Ａ，３６Ｂ）内に収納される。ウォーム軸３２の下部は、ヘッドボックス１２から突出しており、操作棒３０はウォーム軸３２の下端から垂下されている。また、ウォーム軸３２のウォームギヤ３２ａがスリーブ３４のウォームホイール３４ａに噛み合っており、さらに、スリーブ３４の非円形断面をした軸孔３４ｂに回転軸２２が挿入・嵌合されている。操作棒３０を操作して自転回転させると、ウォーム軸３２が一体に回転して、ウォームギヤ３２ａとウォームホイール３４ａとの噛合いにより、スリーブ３４に回転が伝達し、回転軸２２が回転するようになっている。
【００２１】
規制機構２８は、回転軸２２と一体的に回転するスリーブ３４のウォームホイール３４ａに延長して形成されたストッパー軸４０と、ストッパー軸４０の一部から径方向に突出した突部４２と、ケーシング３６の内周面とストッパー軸４０の外周面との間に形成された空間部４４と、空間部４４内で周方向に移動するストッパーボール（移動体）４６と、ストッパー部材４８と、から構成される。
【００２２】
ストッパー部材４８は、この例では、２つのピン部材からなり、前記空間部４４の側面部を画成するケーシング３６Ａの側面部３６ｂに形成された多数の孔部３６ａ、３６ａ、・・・の中の適当な孔部３６ａに差し込まれて、空間部４４内に突出している。
【００２３】
図３に示したように、ストッパーボール４６は、空間部４４内において、ストッパー部材４８である２つのピン部材の間を周方向に移動することができるが、ストッパー部材４８に当接すると、干渉されてそれ以上の移動は阻止される。一方、突部４２は、空間部４４においてストッパー部材４８に当接しない高さとなっており、従ってストッパー部材４８によって阻止されることはなく、３６０度に亘り移動することができるが、ストッパーボール４６とは干渉して、ストッパーボール４６を空間部４４内で押し出して一緒に移動することができ、結果として、ストッパーボール４６を介してストッパー部材４８によってその移動範囲が決められる。
【００２４】
以上のように構成されるスラット角度調節装置２０において、その作用を説明する。スラット１６の角度を調節するためには、操作棒３０を回転させると、前述のように、ウォーム軸３２からスリーブ３４へと回転の方向が転換されて、スリーブ３４と一体に回転軸２２が回転する。これにより、回転軸２２に設けられたドラム２４に固着されたラダーコード１４の垂直コードの一方がドラム２４から巻き解かれ、垂直コードの他方がドラム２４に巻き取られるために、ラダーコード１４の中段の角度が変化してスラット１６の角度が調節される。
【００２５】
図４は、このスラット１６の角度と規制機構２８との関係を表している。図４（ａ）は、スラット１６の角度が略垂直になった状態であり、このときに、規制機構２８の突部４２がストッパーボール４６を一方のストッパー部材４８に当接させており、ストッパーボール４６の移動が該ストッパー部材４８によって阻止されているために、スリーブ３４は、同図において、それ以上に反時計回り方向に回転することができない状態である。
【００２６】
この状態からスリーブ３４が時計回りに回転して、さらに、その突部４２が他方のストッパー部材４８を通過してさらに回転した状態が、図４（ｂ）に示す状態であり、スラット１６の角度が水平となった状態に対応する。
【００２７】
さらにこの状態から突部４２が、一方のストッパー部材４８を通過して、ストッパーボール４６の反対側から当接した後、ストッパーボール４６を押し出しながらさらに時計回りに回転して、ストッパーボール４６を他方のストッパー部材４８に当接させて、ストッパーボール４６の移動が該ストッパー部材４８によって阻止されて、スリーブ３４がそれ以上に時計回り方向に回転することができない状態が、図４（ｃ）に示す状態であり、スラット１６の角度が略垂直となった状態に対応する。
【００２８】
こうして、規制機構２８がスラット１６の回転可能な角度の範囲で、スリーブ３４及び回転軸２２の回転を阻止させるために、操作者は、操作棒３０が回転できなくなったところで、操作を停止し、スラット１６の無理な回転を防止することができる。
【００２９】
図４の例では、ストッパー部材４８によって、スリーブ３４及び回転軸２２は約４５０度程度回転することができ、これに対応して回転軸２２が回転することにより、回転軸２２の回転に対応したラダーコード１４の垂直コードの巻き取り及び巻き解きが行われて、スラット１６の角度が変化する。ところで、この垂直コードの巻き取り及び巻き解き量は、スラット１６の幅が異なれば当然に異なる。従って、スラット１６の幅の異なるブラインドにおいては、スリーブ３４及び回転軸２２の回転可能な範囲を変更しなければならない。この実施形態では、ストッパー部材４８であるピン部材が嵌合する孔部３６ａの位置を変更する。図４の例は、スラット幅が１５ｍｍのタイプの場合であるが、図５は、スラット幅が２５ｍｍのタイプの場合であり、この場合には、ストッパー部材４８のピン部材の位置を変えて、ストッパーボール４６が移動できる範囲を広げている。これにより、スリーブ３４及び回転軸２２の回転可能な範囲（約５１０度）が広がり、ラダーコード１４の垂直コードの巻き取り・巻き解き量を多くすることができる。
【００３０】
こうして、ストッパー部材４８の嵌合位置を調整することにより、部品を共通化することができる。
【００３１】
また、この例では、規制手段２８によって規制されるスラット１６の回転角度範囲は、図４（ａ）または図５（ａ）に示す略垂直から反転して、図４（ｃ）または図５（ｃ）に示す略垂直までの約１８０度であった。しかしながら、これに限るものではなく、取付現場において、スラット１６の回転角度範囲を適宜変更することができる。例えば、取付現場において、スラット１６の回転角度範囲が所望の範囲からずれている場合には、ストッパー部材４８の位置を変えることにより、所望の範囲に対応させることができる。また、ユーザの好みにより、スラット１６をより狭い角度範囲のみで回転させることが所望される場合、例えば、一方側は垂直まで回転させるが、他方側は所望の角度となる範囲のみで回転させることが所望される場合には、ストッパー部材４８の位置を図６のように変えることにより、対応することができる。
【００３２】
また、ストッパー部材４８としては、孔部３６ａ内に挿入されるピン部材に限るものではなく、図７に示すように、側面部３６ｂに長孔３６ｃを構成し、長孔３６ｃに嵌合するピン部材とすることもできる。ピン部材の向きを変えることにより長孔３６ｃ内を移動させることができ、ピン部材の向きを元に戻すことにより長孔３６ｃの任意の位置で固定することができる。
【００３３】
また、以上の例は、回転駆動機構２６がその操作棒３０を手動で操作するタイプの例であったが、本発明はこれに限るものではない。図８に示すように、回転駆動機構２６−１がモータによる電動タイプであっても、適用可能である。
【００３４】
図８において、回転駆動機構２６−１は、モータ５０と、空転機構５２と、回転軸２２が連結されるスリーブ５４とを有しており、モータ５０の出力軸５０ａは、空転機構５２を介して、スリーブ５４に伝達される。
【００３５】
また、規制機構５８は、スリーブ５４に延長して形成されたストッパー軸６０と、ストッパー軸６０の一部から径方向に突出した突部６２と、ケーシング５６Ｂの内周面とストッパー軸６０の外周面との間に形成された空間部６４と、空間部６４内で周方向に移動するストッパーボール（移動体）４６と、ストッパー部材４８と、から構成される。この規制機構５８の作用は、規制機構２８の作用と同様であるために、詳細説明は省略する。ストッパー部材４８は、ケーシング５６Ｂの側面部５６ｂに形成された多数の孔部５６ａ、・・・の中から選択された孔部５６ａに差し込まれている。
【００３６】
この例では、規制機構５８によって、スリーブ５４及び回転軸２２の回転が規制された後にもモータ５０が回転を続けている場合に、モータ５０に負荷がかからないようにするために、空転機構５２が設けられている。
【００３７】
また、この例では、モータ５０のアウタケース５０ｂに連結されるケーシング５６（５６Ａ，５６Ｂ）内に空転機構５２及び規制機構５８が収納されているが、ケーシング５６とモータ５０との取付位置を、変更することができるようになっている。具体的には、ケーシング５６Ｂはケーシング５６Ａに対して高さ調整自在に嵌合され、ケーシング５６Ａには長孔５６ｄが形成されており、該長孔５６ｄを貫通するネジ５７、５７によってモータ５０のアウタケース５０ｂとケーシング５６との位置が可変となっている。スラット幅に応じて回転軸２２のヘッドボックス１２内における高さが変わることがあり、それに合わせてモータ５０の高さも変更することができる。
【００３８】
また、図示のように孔部３６ａ、５６ａ、長孔３６ｃが側面部３６ｂ、５６ｂを貫通していると、ストッパー部材４８の位置調整をケーシング３６、５６の外側から簡単に行うことができ、ブラインドを取付後の変更も、スラット角度調節装置２０をヘッドボックス１２から取り外すことなく、取り付けた状態で、ストッパー部材４８の位置調整を簡単に行うことができる。
【００３９】
また、以上の例では、移動体であるボールを用いた例について説明したが、これに限るものではなく、ストッパーボールを省略して、直接突部４２がストッパー部材４８によって移動を阻止される構成とすることも可能である。
【図面の簡単な説明】
【００４０】
【図１】本発明の実施形態にかかるブラインドのスラット角度調節装置が適用可能なブラインドの一例を表す斜視図である。
【図２】本発明の実施形態にかかるブラインドのスラット角度調節装置の部品展開図である。
【図３】ブラインドのスラット角度調節装置の組立状態を表す断面図である。
【図４】規制手段の動作を表す説明図であって、（ａ）は突部が移動体を一方のストッパー部材に当接させた状態、（ｂ）は突部の中間状態、（ｃ）は突部が移動体を他方のストッパー部材に当接させた状態を表す。
【図５】図４とスラット幅の異なる場合の規制手段の動作を表す説明図であって、（ａ）は突部が移動体を一方のストッパー部材に当接させた状態、（ｂ）は突部の中間状態、（ｃ）は突部が移動体を他方のストッパー部材に当接させた状態を表す。
【図６】図４とスラットの回転角度範囲を変えた場合の規制手段を表す説明図である。
【図７】規制手段の他の例を表す説明図である。
【図８】駆動手段が電動である場合のスラット角度調節装置の縦断面図である。
【符号の説明】
【００４１】
１２  ヘッドボックス
１４  ラダーコード
１６  スラット
２０  スラット角度調節装置
２２  回転軸
２８、５８  規制手段
３６ａ、５６ａ  孔部
３６ｂ、５６ｂ  側面部
４２、６２  突部
４４、６４  空間部
４６  ストッパーボール（移動体）
４８  ストッパー部材
【図１】
2005068701.tif 000003
【図２】
2005068701.tif 000004
【図３】
2005068701.tif 000005
【図４】
2005068701.tif 000006
【図５】
2005068701.tif 000007
【図６】
2005068701.tif 000008
【図７】
2005068701.tif 000009
【図８】
2005068701.tif 000010